(57)【要約】【課題】  光感受性発作の異なる原因に対応可能な画像表示装置及び画像表示方法並びに画像表示用プログラムを提供する。【解決手段】  画像表示装置は、画像を表示するディスプレイと、画像を見る者に光過敏症発作を起こさせる恐れがあるか否かを判断する判断回路と、光過敏症発作を起こさせる恐れがあると判断回路が判断したとき、画像の表示を制御する表示制御回路と、を有する。【選択図】  図１
2006246138.tif 000002
【特許請求の範囲】
【請求項１】
画像を表示する画像表示手段と、
前記表示される画像の内容に基づいて、画像を見る者に光過敏症発作を起こさせる恐れがあるか否かを判断する判断手段と、
光過敏症発作を起こさせる恐れがあると前記判断手段が判断したとき、前記画像を見る者に対する前記画像による刺激が少なくなるように前記画像の表示を制御する表示制御手段と、
を有することを特徴とする画像表示装置。
【請求項２】
請求項１に記載の画像表示装置において、
前記表示される画像の内容を記憶する記憶手段を更に有し、
前記判断手段は、前記記憶された画像の内容に基づいて、光過敏症発作を起こさせる恐れがあるか否かを判断し、
光過敏症発作を起こさせる恐れがあると前記判断手段が判断したとき、前記表示制御手段は、前記画像表示手段による前記記憶された画像の表示を制御することを特徴とする画像表示装置。
【請求項３】
請求項１又は請求項２に記載の画像表示装置において、
前記判断手段は、表示される画像がフリッカー周波数を有する映像情報を含むとき、光過敏症発作を起こさせる恐れがあると判断することを特徴とする画像表示装置。
【請求項４】
請求項１又は請求項２に記載の画像表示装置において、
前記判断手段は、表示される画像の内容の色又は輝度のうち少なくともいずれか一方が所定の色又は所定値以上の輝度を有するとき、光過敏症発作を起こさせる恐れがあると判断することを特徴とする画像表示装置。
【請求項５】
請求項１又は請求項２に記載の画像表示装置において、
前記判断手段は、表示される画像に規則的なパターンの画像を含むとき、光過敏症発作を起こさせる恐れがあると判断することを特徴とする画像表示装置。
【請求項６】
請求項１又は請求項２に記載の画像表示装置において、
前記判断手段は、画像のゆれ又は回転、ブレのうち少なくともいずれか１つが表示される画像に含まれるとき、光過敏症発作を起こさせる恐れがあると判断することを特徴とする画像表示装置。
【請求項７】
請求項１又は請求項２に記載の画像表示装置において、
前記判断手段は、表示される画像に立体映像が含まれるとき、光過敏症発作を起こさせる恐れがあると判断することを特徴とする画像表示装置。
【請求項８】
請求項１又は請求項２に記載の画像表示装置において、
前記判断手段は更に、当該画像表示装置が設置される周囲の環境に基づいて、画像を見る者に光過敏症発作を起こさせる恐れがあるか否かを判断することを特徴とする画像表示装置。
【請求項９】
請求項８に記載の画像表示装置において、
当該画像表示装置が設置される周囲の環境を検出する検出手段を更に有し、
前記判断手段は、前記検出手段の検出結果に基づいて、光過敏症発作を起こさせる恐れがあるか否かを判断することを特徴とする画像表示装置。
【請求項１０】
請求項９に記載の画像表示装置において、
前記検出手段は、当該画像表示装置が設置された周囲の照度を検出する光検出手段であり、
前記判断手段は、前記周囲の照度が所定値以下であるとき、光過敏症発作を起こさせる恐れがあると判断することを特徴とする画像表示装置。
【請求項１１】
請求項９に記載の画像表示装置において、
前記検出手段は、前記画像を見る者の熱を検出する熱検出手段であり、
前記判断手段は、前記検出された熱が所定値以上であるとき、光過敏症発作を起こさせる恐れがあると判断することを特徴とする画像表示装置。
【請求項１２】
請求項９に記載の画像表示装置において、
前記検出手段は、前記画像表示手段の表示方向を撮像する電荷結合素子（ＣＣＤ）であり、
前記判断手段は、前記撮像された映像を解析して前記画像を見る者が前記画像表示手段の近くにいると判断されたとき、光過敏症発作を起こさせる恐れがあると判断することを特徴とする画像表示装置。
【請求項１３】
請求項９に記載の画像表示装置において、
前記検出手段は、前記画像表示手段の表示方向に超音波を発し、反射する超音波を検出する超音波センサであり、
前記判断手段は、前記検出された超音波を解析して前記画像を見る者が前記画像表示手段の近くにいると判断されたとき、光過敏症発作を起こさせる恐れがあると判断することを特徴とする画像表示装置。
【請求項１４】
請求項１乃至請求項１３のいずれか一項に記載の画像表示装置において、
前記表示制御手段は前記画像の輝度を低下して表示させることを特徴とする画像表示装置。
【請求項１５】
請求項１乃至請求項１３のいずれか一項に記載の画像表示装置において、
前記表示制御手段は前記画像の明暗のコントラストを低下させて表示させることを特徴とする画像表示装置。
【請求項１６】
請求項１乃至請求項１３のいずれか一項に記載の画像表示装置において、
前記表示制御手段は画像を小さくして表示させることを特徴とする画像表示装置。
【請求項１７】
請求項１乃至請求項１３のいずれか一項に記載の画像表示装置において、
前記表示制御手段は前記画像を静止画像として表示させることを特徴とする画像表示装置。
【請求項１８】
請求項５に記載の画像表示装置において、
前記表示制御手段は前記画像の前記規則的なパターンを塗りつぶして表示させることを特徴とする画像表示装置。
【請求項１９】
請求項６に記載の画像表示装置において、
前記表示制御手段は前記画像の前記ゆれ又は前記回転、前記ブレを補正して表示させることを特徴とする画像表示装置。
【請求項２０】
請求項１又は請求項１３のいずれか一項に記載の画像表示装置において、
前記表示制御手段は画像の表示を停止させることを特徴とする画像表示装置。
【請求項２１】
画像を見る者に光過敏症発作を起こさせる恐れがあるか否かを判断する判断工程と、
光過敏症発作を起こさせる恐れがあると前記判断工程において判断されたとき、画像の表示を制御する表示制御工程と、
を有することを特徴とする画像表示方法。
【請求項２２】
画像を表示する画像表示手段を有する画像表示装置に含まれるコンピュータを、
画像を見る者に光過敏症発作を起こさせる恐れがあるか否かを判断する判断手段と、
光過敏症発作を起こさせる恐れがあると前記判断手段が判断したとき、画像の表示を制御する表示制御手段、
として機能させることを特徴とする画像表示用プログラム。
【発明の詳細な説明】
【技術分野】
【０００１】
本願は、光過敏症発作を防止する画像表示装置及び画像表示方法並びに画像表示用プログラムの技術分野に属する。
【背景技術】
【０００２】
従来から光点滅のような刺激（フラッシュ・フリッカー）は光過敏性、光感受性を持つ人に偏頭痛やてんかん発作などを誘起する可能性が知られていた。
【０００３】
１９９３年４月イギリスで放送されたテレビコマーシャルで視聴者がてんかん発作を起こした事件や、１９９７年１２月に日本で放送された人気アニメ番組を視聴した子供が発作を起こした事件などがあった。
【０００４】
このような事件の原因究明がなされ、その原因として、画面の背景の相当な面積において純粋シアン色が短時間に高速で複数回反転表示されたことが原因であるとされた。
【０００５】
これに対して、最近は放送事業者サイドで光刺激に対する放送を抑制する動きもあるが、映像表現の自由が基本にあるため著作権者に映像の改変を強要することもできず、有効な対策が打てないでいた。更に海外から輸入されるビデオなどの映像情報に対して規制をかけることは困難であった。
【０００６】
視聴者サイドの対策として、物理的な光学フィルターをテレビ画面の前に設置して光を抑制する技術があった（例えば、特許文献１参照）。
【特許文献１】特開２００１−１６６１３０号公報。
【発明の開示】
【発明が解決しようとする課題】
【０００７】
しかしながら、上記従来技術は、物理的な光学フィルターを利用するため、取り付ける面倒さや、調整が困難である点、光感受性発作の複数の原因のうち抑制できるものが少ない点などで問題があった。即ち、刺激を抑制する範囲や画面のフラッシュの点滅回数に応じてフィルターの機能を変化させることができないなど、入力される映像情報の複数の特性のうち対応できる項目に限界があった。また、出力側の表示に関しても、特定の色（波長）の輝度や明暗のコントラストを抑制することはできても、映像情報の内容に応じて表示を変えたり、不適当な映像の表示を取りやめることができないなど、限界があった。
【０００８】
本願は上記の各問題点に鑑みてなされたものであって、その課題の一例は、光感受性発作の異なる原因に対応可能な画像表示装置及び画像表示方法並びに画像表示用プログラムを提供することにある。
【課題を解決するための手段】
【０００９】
以下、本願について説明する。なお、本願の理解を容易にするために添付図面の参照符号を括弧書きにて付記するが、それにより本願が図示の形態に限定されるものではない。
【００１０】
上記の課題を解決するために、請求項１に記載の発明は、画像を表示する画像表示手段（１７）と、前記表示される画像の内容に基づいて、画像を見る者に光過敏症発作を起こさせる恐れがあるか否かを判断する判断手段（１５）と、光過敏症発作を起こさせる恐れがあると前記判断手段（１５）が判断したとき、前記画像を見る者に対する前記画像による刺激が少なくなるように前記画像の表示を制御する表示制御手段（１６）と、を有することを特徴とする。
【００１１】
上記の課題を解決するために、請求項２１に記載の発明は、画像を見る者に光過敏症発作を起こさせる恐れがあるか否かを判断する判断工程と、光過敏症発作を起こさせる恐れがあると前記判断工程において判断されたとき、画像の表示を制御する表示制御工程と、を有することを特徴とする。
【００１２】
上記の課題を解決するために、請求項２２に記載の発明は、画像を表示する画像表示手段（１７）を有する画像表示装置（１）に含まれるコンピュータを、画像を見る者に光過敏症発作を起こさせる恐れがあるか否かを判断する判断手段（１５）と、光過敏症発作を起こさせる恐れがあると前記判断手段（１５）が判断したとき、画像の表示を制御する表示制御手段（１６）、として機能させることを特徴とする。
【発明を実施するための最良の形態】
【００１３】
次に、本願に対応する最良の実施形態について、図面に基づいて説明する。
【００１４】
（第一実施例）
第一実施例では、表示される画像の内容に基づいて、その内容が光過敏症発作を起こさせる恐れがあるか否かを判断する場合を説明する。
【００１５】
図１は第一実施例に係る画像表示装置の全体構成の概要を示すブロック図である。
【００１６】
第一実施例に係る画像表示装置１は、アンテナＡＴが受信した放送を出力するチューナ１１、或いは、ビデオ、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）等の記録媒体１２から映像情報が入力される入力端子１３と、入力された映像情報を一時的に記憶する一時記憶回路１４と、記憶された映像情報が光過敏症発作を起こさせる恐れがあるか否かを判断する判断回路１５と、一時記憶回路１４に記憶された映像情報の表示を制御する表示制御回路１６と、表示制御回路１６から出力される映像情報を表示するディスプレイ１７と、によって構成されている。
【００１７】
ここで、入力端子１３は、チューナ１１、或いは、記録媒体１２から再生された映像情報を画像表示装置１内に取り込む。
【００１８】
一時記憶回路１４は、Ｈ／Ｄ（Ｈａｒｄ  Ｄｉｓｋ）やメモリなどで構成され、入力された映像情報を一時的に記憶する。
【００１９】
判断回路１５は、ＣＰＵ（Ｃｅｎｔｒａｌ  Ｐｒｏｃｅｓｓｉｎｇ  Ｕｎｉｔ）などで構成され、記憶された映像情報を見る者が光過敏症発作を起こさせる恐れがあるか否かを判断する。
【００２０】
表示制御回路１６は、ＣＰＵなどで構成され、判断回路１５の指示に基づいて一時記憶回路１４に記憶された映像情報を加工しディスプレイ１７に出力する。
【００２１】
ディスプレイ１７は、ＣＲＴ（Ｃａｔｈｏｄ  Ｒａｙ  Ｔｕｂｅ）、液晶ディスプレイ、ＰＤＰ（Ｐｌａｚｍａ  Ｄｉｓｐｌａｙ  Ｐａｎｅｌ）などで構成され、表示制御回路１６から出力される映像情報を表示する。
【００２２】
以上の構成を有する画像表示装置１の動作を図２を用いて説明する。
【００２３】
図２は第一実施例に係る画像表示装置１の動作の概要を示すフローチャートである。
【００２４】
受信した放送、或いは、記録媒体１２から入力端子１３を介して取り込まれた映像情報は一時記憶回路１４に一時的に記憶される（ステップＳ１）。
【００２５】
そして、記録された映像情報が光過敏症発作を起こさせる恐れがあるか否かが判断回路１５によって判断される（ステップＳ２）。このときの判断基準は表示を修正変更する内容と併せて後述する。
【００２６】
光過敏症発作を起こさせる恐れはないと判断回路１５が判断をしたとき（ステップＳ２：Ｎ）、表示制御回路１６は一時記憶回路１４に記憶されている映像情報をそのままディスプレイ１７に表示させる（ステップＳ４）。
【００２７】
一方、光過敏症発作を起こさせる恐れがあると判断回路１５が判断したとき（ステップＳ２：Ｙ）、表示制御回路１６は光過敏症発作を起こさないように表示を修正変更して出力し（ステップＳ３）、ディスプレイ１７が映像を表示する（ステップＳ４）。
【００２８】
次に、映像情報が光過敏症発作を起こさせる恐れがあるか否かを判断回路１５が判断するときの判断基準の例及びそのときの表示対策の例を以下に説明する。
【００２９】
１．フリッカー（flicker）：映像情報に１秒間に３回以上の明暗の変化がある場合、或いは、１０〜３０Ｈｚの閃光点滅がある場合、フリッカーに該当し、ディスプレイ１７を見る者が光過敏症発作を起こさせる恐れがあると判断回路１５は判断する。このとき、（ａ）輝度を６５％ダウンして表示する、（ｂ）明暗コントラストを６５％ダウンする、（ｃ）画面を１／１０〜１／２０に縮小して表示する、（ｄ）画面を静止して表示する、などの表示対策を表示制御回路１６が行い、対策を行った映像をディスプレイ１７に出力する。画面を静止して表示するとき、音声の再生を継続することとしてもよい。ここで、明暗変化の頻度、閃光点滅の周波数帯は例示に過ぎず、これに限定されるわけではない。輝度ダウンの割合も例示に過ぎず、６０〜７０％の範囲でダウンさせることが好ましい場合もある。また、明暗コントラストのダウンの割合、画面の縮小表示の割合も例示に過ぎない。
【００３０】
２．色、輝度など：画面の過半が純粋赤色若しくはシアン色、又は前記いずれかの近似色の表示である場合、ディスプレイ１７を見る者が光過敏症発作を起こさせる恐れがあると判断回路１５は判断する。また、輝度に関しても同様に、白色全表示を１００％としたとき、画面の過半が６０〜７０％の範囲で設定される所定値以上の輝度を有する場合に、ディスプレイ１７を見る者が光過敏症発作を起こさせる恐れがあると判断回路１５は判断する。このとき、（ａ）輝度を６５％ダウンして表示する、（ｂ）明暗コントラストを６５％ダウンする、（ｃ）画面を１／１０〜１／２０に縮小して表示する、などの表示対策を表示制御回路１６が行い、対策を行った映像をディスプレイ１７に出力する。画像を見る者の癖に応じて、判断対象となる色は白・青・黄・緑など他の色に設定することも可能とする。
【００３１】
３．パターン：映像情報に規則的なパターン、例えば、縞模様、渦巻き模様、モザイク模様、水玉模様、格子模様がある場合、ディスプレイ１７を見る者が光過敏症発作を起こさせる恐れがあると判断回路１５は判断する。このとき、（ｅ）規則的パターンの１色を塗りつぶして表示する、（ｃ）画面を１／１０〜１／２０に縮小して表示する、（ｄ）画面を静止して表示する、などの表示対策を表示制御回路１６が行い、対策を行った映像をディスプレイ１７に出力する。
【００３２】
４．ゆれ、回転など：映像情報に画面全体の大きなゆれ、水平の左右ブレ、大きな回転が含まれるとき、ディスプレイ１７を見る者が光過敏症発作を起こさせる恐れがあると判断回路１５は判断する。このとき、（ｆ）ゆれやブレ、回転を補正して表示する、（ｄ）画面を静止して表示する、（ｇ）画面表示を完全にＯＦＦする、などの表示対策を表示制御回路１６が行い、対策を行った映像をディスプレイ１７に出力する。
【００３３】
５．３Ｄ画像：映像情報に立体映像（３Ｄ眼鏡用画像）、例えば、偏光式立体映像、アナグリフ式立体映像が含まれるとき、ディスプレイ１７を見る者が光過敏症発作を起こさせる恐れがあると判断回路１５は判断する。このとき、（ｃ）画面を１／１０〜１／２０に縮小して表示する、（ｄ）画面を静止して表示する、（ｇ）画面表示を完全にＯＦＦする、などの表示対策を表示制御回路１６が行い、対策を行った映像をディスプレイ１７に出力する。
【００３４】
６．上記組み合わせ：色とフリッカーとの組み合わせ、例えば、赤色のフリッカーや、パターンと大きなゆれとの組み合わせ、例えば、縦縞模様が大きく揺れるとき、ディスプレイ１７を見る者が光過敏症発作を起こさせる恐れがあると判断回路１５は判断する。このとき、（ｃ）画面を１／１０〜１／２０に縮小して表示する、（ｇ）画面表示を完全にＯＦＦする、などの表示対策を表示制御回路１６が行い、対策を行った映像をディスプレイ１７に出力する。
【００３５】
更に、上記のいずれかの状態が所定の時間以上連続又は断続したとき、ディスプレイ１７を見る者が光過敏症発作を起こさせる恐れがあると判断回路１５は判断するようにしてもよい。
【００３６】
なお、表示制御回路１６が行うこれらの映像情報の加工は映像を見る者の個人差を考慮して個別に調節が可能である。
【００３７】
映像情報が光過敏症発作を起こさせる恐れがあるか否かの判断基準の例及びそのときの表示対策の例を図３にまとめる。
【００３８】
ここで、例えば、本実施の形態における画像表示装置１は本願に係る画像表示装置を、一時記憶回路１４は本願に係る記憶手段を、判断回路１５は本願に係る判断手段を、表示制御回路１６は本願に係る表示制御手段を、ディスプレイ１７は本願に係る画像表示手段を、それぞれ構成する。
【００３９】
上記実施の形態は以下の効果を有する。
【００４０】
物理的な光学フィルターを利用しないので、取り付けのわずらわしさや調整困難といった問題がない。
【００４１】
映像情報が光過敏症発作を起こさせる恐れがある複数の項目に対して表示修正をすることができる。
【００４２】
映像表現の自由度を制約しないので、著作権者の権利を不当に害することはない。
【００４３】
見るものの癖に応じて表示を修正変更できるので、光過敏症発作をより有効に防ぐことが可能となる。
【００４４】
なお、本願の第一実施例は上記に限定されるものではなく、例えば以下のように変形してもよい。
【００４５】
映像情報が光過敏症発作を起こさせる恐れがあるか否かの判断基準とそのときの表示対策は、ユーザが設定できるようにしてもよい。ある判断基準に対する表示対策を、図３の表示対策欄のようにメニューとして表示し、判断基準の項目番号に対応する表示対策の項目番号をユーザが選択して指定するようにしてもよい。
【００４６】
（第二実施例）
第二実施例は、第一実施例で説明した表示画像の内容に加えて、画像表示装置が設置される周囲の環境に基づいて、光過敏症発作を起こさせる恐れがあるか否かを判断する場合である。
【００４７】
図４は第二実施例に係る画像表示装置２１の全体構成の概要を示すブロック図である。周囲の環境を検出するための光検知器２２を有している点が第一実施例と異なる点である。なお、図４において、図１と共通する部分には同一符号を付し、それらの説明は省略する。
【００４８】
ここで、光検知器２２は、画像表示装置が設置された周囲の照度を検出する。
【００４９】
以上の構成を有する画像表示装置２１の動作を図５を用いて説明する。
【００５０】
図５は第二実施例に係る画像表示装置２１の動作の概要を示すフローチャートである。
【００５１】
受信した放送、或いは、記録媒体１２から入力端子１３を介して取り込まれた映像情報は一時記憶回路１４に一時的に記憶される（ステップＳ１）。
【００５２】
画像表示装置２１の設置場所の周囲の照度を光検知器２２が検知し（ステップＳ１１）、表示画像の内容と設置される周囲環境とが組み合わさって光過敏症発作を起こさせる恐れがあるか否かを判断回路１５が判断する（ステップＳ２）。このときの判断基準は後述する。
【００５３】
光過敏症発作を起こさせる恐れはないと判断回路１５が判断をしたとき（ステップＳ２：Ｎ）、一時記憶回路１４に記憶されている映像情報をそのままディスプレイ１７に表示させる（ステップＳ４）。
【００５４】
一方、光過敏症発作を起こさせる恐れがあると判断回路１５が判断したとき（ステップＳ２：Ｙ）、表示制御回路１６は光過敏症発作を起こさないように表示を修正変更して出力し（ステップＳ３）、ディスプレイ１７が映像を表示する（ステップＳ４）。
【００５５】
次に、設置される周囲環境が光過敏症発作を起こさせる恐れがあるか否かを判断回路１５が判断するときの判断基準の例及びそのときの表示対策の例を以下に説明する。
【００５６】
光検知：画像表示装置２１が設置された周囲（画像表示装置２１が置かれた部屋）の照度を検出する。具体的には、日の出又は日の入りの前後の薄ら明かりの時間帯において部屋の照度が所定値以下である場合、又は、夜の時間帯において検出された部屋の照度から部屋の照明が点いていないことが判明した場合、ディスプレイ１７を見る者が光過敏症発作を起こさせる恐れがあると判断回路１５は判断する。このとき、（ａ）輝度を６５％ダウンして表示する、（ｂ）明暗コントラストを６５％ダウンする、（ｃ）画面を１／１０〜１／２０に縮小して表示する、（ｄ）画面を静止して表示する、（ｇ）画面表示を完全にＯＦＦする、（ｈ）部屋を明るくするようにメッセージを画面上に表示する、などの表示対策指示のいずれかを表示制御回路がディスプレイに対して指示する。部屋の照明を点けるよう音声で流してもよい。
【００５７】
ここで、例えば、本実施の形態における画像表示装置２１は本願に係る画像表示装置を、光検知器２２は本願に係る検出手段及び光検出手段を、それぞれ構成する。
【００５８】
上記実施の形態は以下の効果を有する。
【００５９】
光検知器２２を用いることで、画像表示装置２１が設置された部屋の照度を画像表示装置２１は知ることが可能となり、部屋の照度に応じて画像表示装置２１の照度（明度、輝度）やコントラストを制御して、光過敏症発作が起きることを防ぐことができる。更に、見る者の目の負担を軽減することが可能となる。
【００６０】
なお、本願の実施の形態は上記に限定されるものではなく、例えば以下のように変形してもよい。
【００６１】
画像表示装置が設置される周囲の環境を検出する検出手段は周囲の照度を検知する光検出手段に限定されるものではなく、他の検出手段であってもよい。例えば、画像を見る者が近くにいるか否かを赤外線（熱）によって検出する熱検出手段、電荷結合素子（ＣＣＤ）、超音波センサ、などであってもよい。
【００６２】
熱検知：赤外線（熱）により画像を見る者が近くにいるか否かを検出する。具体的には、画像を見る者がディスプレイ１７の前方近くにいることがを検知するために、熱検出手段の一例としての赤外線センサの受感範囲を調整して設置する。ディスプレイ１７を見る者が近くにいる場合、光過敏症発作を起こさせる恐れがあると判断回路は判断する。このとき、（ａ）輝度を６５％ダウンして表示する、（ｂ）明暗コントラストを６５％ダウンする、（ｃ）画面を１／１０〜１／２０に縮小して表示する、（ｄ）画面を静止して表示する、（ｇ）画面表示を完全にＯＦＦする、などの表示対策指示のいずれかを表示制御回路がディスプレイに対して指示する。
【００６３】
画像解析：電荷結合素子（ＣＣＤ）を用いてディスプレイ１７の前方を撮像する。撮像された設置環境の映像を解析して、画像を見る者が画面近くにいることを検出した場合、ディスプレイ１７を見る者が光過敏症発作を起こさせる恐れがあると判断回路は判断する。このとき、（ａ）輝度を６５％ダウンして表示する、（ｂ）明暗コントラストを６５％ダウンする、（ｃ）画面を１／１０〜１／２０に縮小して表示する、（ｄ）画面を静止して表示する、（ｇ）画面表示を完全にＯＦＦする、などの表示対策指示のいずれかを表示制御回路がディスプレイに対して指示する。
【００６４】
超音波検知：ディスプレイ１７の前方に超音波を発し、反射する超音波を検出して画像を見る者が近くにいるか否かを検出する。画像を見る者が画面近くにいることを検出した場合、ディスプレイ１７を見る者が光過敏症発作を起こさせる恐れがあると判断回路は判断する。このとき、（ａ）輝度を６５％ダウンして表示する、（ｂ）明暗コントラストを６５％ダウンする、（ｃ）画面を１／１０〜１／２０に縮小して表示する、（ｄ）画面を静止して表示する、（ｇ）画面表示を完全にＯＦＦする、などの表示対策指示のいずれかを表示制御回路がディスプレイに対して指示する。
【図面の簡単な説明】
【００６５】
【図１】第一実施例に係る画像表示装置の全体構成の概要を示すブロック図である。
【図２】第一実施例に係る画像表示装置の動作の概要を示すフローチャートである。
【図３】映像情報が光過敏症発作を起こさせる恐れがあるか否かの判断基準の例及びそのときの表示対策の例である。
【図４】第二実施例に係る画像表示装置の全体構成の概要を示すブロック図である。
【図５】第二実施例に係る画像表示装置の動作の概要を示すフローチャートである。
【符号の説明】
【００６６】
１：画像表示装置
１４：一時記憶回路
１５：判断回路
１６：表示制御回路
１７：ディスプレイ
２１：画像表示装置
２２：光検知器
【図１】
2006246138.tif 000003
【図２】
2006246138.tif 000004
【図３】
2006246138.tif 000005
【図４】
2006246138.tif 000006
【図５】
2006246138.tif 000007